(57)【要約】【課題】強力な吸着力を長期間に渡って維持することができる吸着盤を提供する。【解決手段】円形のドーム状に形成された本体部１２と、該本体部１２の頂部に設けられた頭部１３とから少なくとも構成される吸着盤１１において、該吸着盤１１は、熱可塑性スチレン系エラストマーで一体に形成したことである。特に、熱可塑性スチレン系エラストマーは、スチレンブロックコポリマーであることが望ましい。【選択図】      図１
2008106788.tif 000002
【特許請求の範囲】
【請求項１】
円形のドーム状に形成された本体部と、該本体部の頂部に設けられた頭部とから少なくとも構成される吸着盤において、
該吸着盤は、熱可塑性スチレン系エラストマーで一体に形成したことを特徴とする吸着盤。
【請求項２】
前記熱可塑性スチレン系エラストマーは、スチレンブロックコポリマーであることを特徴とする請求項１に記載の吸着盤。
【発明の詳細な説明】
【技術分野】
【０００１】
本発明は、吸着盤に関するものであり、更に詳しくは、強力な吸着力を長期間に渡って維持することができる吸着盤に関するものである。
【背景技術】
【０００２】
従来、この種の吸着盤としては、次のような構成のものが知られている。この吸着盤は、吸着面の一部又は全部に接着剤等の粘着剤を塗布しておき、吸着盤の吸着力と接着剤の接着力との相互の作用で、吸着性を長期間に渡って維持しようとするものである（特許文献１及び２参照）。
【０００３】
また、吸着盤の吸着面の一部又は全部にパテ等の粘性体を付着させておき、吸着盤の吸着力とパテ等の粘性との相互の作用で吸着性を向上させると共に、パテ等の粘着力によって凹凸があるざらついた面であっても吸着を可能にしようとするものもある（特許文献３及び４参照）。
【特許文献１】実開平６−８４０１８号公報
【特許文献２】実開平６−５４９１１号公報
【特許文献３】特開平８−３１２６３０号公報
【特許文献４】特開２０００−１７９５３０号公報
【発明の開示】
【発明が解決しようとする課題】
【０００４】
これら従来例の吸着盤においては、吸着盤の吸着力と接着剤の接着力とを一緒に有していると、実際にはそれらが相互に作用することはなく、実質的に吸着性を長期間に渡って維持させることが困難であるという問題点を有している。
【０００５】
また、接着剤やパテ等を吸着盤の吸着面に塗布したり付着したりする作業は、手間がかかってコスト高になるという欠点も有している。
【０００６】
そして、吸着面に接着剤やパテ等を付着させた吸着盤は、何回も繰り返して使用することができないという欠点も有る。
【０００７】
従って、従来例における吸着盤においては、強力な吸着力を長期間に渡って実質的に維持すること、製品コストを低く抑えること、及び何回も繰り返して使用できるようにすることとに解決しなければならない課題を有している。
【課題を解決するための手段】
【０００８】
前記従来例の課題を解決する具体的手段として本発明は、円形のドーム状に形成された本体部と、該本体部の頂部に設けられた頭部とから少なくとも構成される吸着盤において、該吸着盤は、熱可塑性スチレン系エラストマーで一体に形成したことを特徴とする吸着盤を提供するものである。
【０００９】
また、前記熱可塑性スチレン系エラストマーは、スチレンブロックコポリマーである構成としたものである。
【発明の効果】
【００１０】
本発明に係る吸着盤は、円形のドーム状に形成された本体部と、該本体部の頂部に設けられた頭部とから少なくとも構成される吸着盤において、該吸着盤は、熱可塑性スチレン系エラストマーで一体に形成したことによって、吸着盤自体に粘着性を生じ得ることとなる。つまり、吸着盤の吸着力と粘着力との相互の作用が働いて、吸着性を長期間に渡って維持できるのである。
また、吸着盤は何回でも繰り返して使用できる。そして、一体成形することで製品コストを低く抑えることができるという種々の優れた効果を奏する。
【００１１】
特に、熱可塑性スチレン系エラストマーは、スチレンブロックコポリマーであることによって、吸着盤を吸着して約１〜３ヶ月経た頃に、吸着盤自体が粘着性を生じることとなる。つまり、吸着盤の吸着力が低下する頃に、吸着盤の吸着面に粘着性が出てきて、吸着盤内に空気の流入を阻止するのである。従って、吸着盤自体の吸着力と粘着力とが経時的に順次作用することとなり、吸着性を長期間に渡って維持できるという優れた効果を奏する。
【発明を実施するための最良の形態】
【００１２】
次に、本発明の実施の形態について図面を参照しながら説明する。まず、図１において、符号１１は吸着盤を示し、この吸着盤１１は、円形のドーム状に形成された本体部１２と、この本体部１２の頂部に設けられた頭部１３とから構成される。
【００１３】
吸着盤１１は、熱可塑性スチレン系エラストマーで一体成形されている。吸着盤の素材に熱可塑性スチレン系エラストマーを用いることにより、吸着盤自体に粘着性を生じ得ることとなる。従って、吸着盤の吸着力と粘着力との相互の作用により、吸着性を長期間に渡って維持できる。
【００１４】
熱可塑性スチレン系エラストマーは、さらに具体的には、スチレンブロックコポリマーであることが望ましい。このスチレンブロックコポリマーで吸着盤を形成すると、吸着盤を吸着してから約１〜３ヶ月経た頃に、吸着盤の吸着面に徐々に粘着性を生じることが認められた。従って、吸着盤の吸着力が低下する頃に、吸着盤の吸着面に粘着性が出てきて、吸着盤内に空気の流入を阻止することとなる。このように、吸着盤自体の吸着力と粘着力とが経時的に順次作用することとなり、吸着性を長期間に渡って維持できるのである。
【００１５】
次に、スチレンブロックコポリマー、熱可塑性スチレン系エラストマー、熱可塑性オレフィン系エラストマー、熱可塑性ウレタン系エラストマー、及びポリ塩化ビニルでそれぞれ形成した吸着盤をガラス板に吸着させて、ガラス板を垂直に設置し、常温の室内にて、１ヶ月、２ヶ月、３ヶ月、及び４ヶ月を経過させた比較実験例を表１に示す。
【００１６】
【表１】
2008106788.tif 000003
【００１７】
表１に示すように、熱可塑性オレフィン系エラストマー、熱可塑性ウレタン系エラストマー、及びポリ塩化ビニルで形成した吸着盤は、吸着後３ヶ月経過時には、吸着盤内に空気が流入して落下してしまった。
熱可塑性スチレン系エラストマーで形成した吸着盤は、吸着後３ヶ月経過時には、落下せずに吸着状態を維持している。しかし、吸着後４ヶ月経過時には、吸着盤内に空気が流入して落下してしまった。
スチレンブロックコポリマーで形成した吸着盤は、吸着後４ヶ月経過時においても、吸着状態をシッカリと維持している。更に、この吸着状態において、１６kgの錘を係止させて吸着盤を観察したが、吸着盤はシッカリと吸着状態を維持しており、落下することはなかった。
【００１８】
以上説明したように、本発明の熱可塑性スチレン系エラストマーの素材で形成した吸着盤は、吸着盤自体に粘着性を生じ得ることとなるので、吸着盤の吸着力と、吸着面の粘着力との相互の作用によって、吸着後３ヶ月を経ても吸着状態が維持できるのである。
特に、スチレンブロックコポリマーの素材で形成した吸着盤は、吸着盤を吸着して約１〜３ヶ月程度経た頃に、吸着盤自体が粘着性を生じることとなる。従って、吸着盤の吸着力が低下する頃に、吸着盤の吸着面に粘着性が出てきて、吸着盤内に空気の流入を阻止するので、吸着後４ヶ月を経ても吸着状態がシッカリと維持できるのである。
【産業上の利用可能性】
【００１９】
以上のような構成の吸着盤は、頭部１３を押圧して吸着させる通常タイプの吸着盤１１（図１参照）の他に、図２に示すような、頭部に設けられた回転ネジ１４を回転させて吸着面を引っ張り上げるタイプの吸着盤１５など、様々な種類の吸着盤に用いることが可能である。
【図面の簡単な説明】
【００２０】
【図１】本発明に係る吸着盤の斜視図である。
【図２】本発明に係る吸着盤の斜視図である。
【符号の説明】
【００２１】
１１  吸着盤
１２  本体部
１３  頭部
１４  回転ネジ
１５  吸着盤
【図１】
2008106788.tif 000004
【図２】
2008106788.tif 000005
【手続補正書】
【提出日】平成18年10月31日(2006.10.31)
【手続補正１】
【補正対象書類名】明細書
【補正対象項目名】００１６
【補正方法】変更
【補正の内容】
【００１６】
【表１】
2008106788.tif 000006